(57)【要約】【課題】この発明は、各ユーザ毎にそれぞれ個別にコンテンツの管理を行ない、各ユーザからの種々の要求に実用的なレベルで対応することができるようにした情報管理装置及び情報管理方法を提供することを目的としている。【解決手段】家庭内ネットワークシステムにおいて、ホームサーバとなる光ディスク記録再生装置１１が、各種のメディアから得られるコンテンツを、各ユーザの受信端末１４〜１６毎にそれぞれ個別に管理するようにしたので、同じコンテンツに対しても各ユーザ毎に前回視聴を停止した位置から視聴を再開することができる等、各ユーザからの種々の要求に実用的なレベルで対応することができる。【選択図】    図１
2006301877.tif 000002
【特許請求の範囲】
【請求項１】
ユーザ識別情報、コンテンツ識別情報及びコンテンツ視聴実績情報を対応させたデータベースを記録する記録手段と、
前記記録手段で記録されたデータベースから、ネットワークを介して入力されたユーザ識別情報に対応するコンテンツを検索し、検索されたコンテンツの一覧を示す情報を生成して前記ネットワークに送信するコンテンツ一覧送信手段と、
前記コンテンツ一覧送信手段で送信された情報から選択されたコンテンツの再生要求が前記ネットワークを介して入力されたとき、前記データベースのコンテンツ視聴実績情報に示される位置から、そのコンテンツを前記ネットワークに送信するコンテンツ送信手段と、
前記コンテンツ送信手段によるコンテンツの送信状態で、前記ネットワークを介してコンテンツの送信停止が要求されたとき、前記コンテンツの送信を停止するとともに、該コンテンツの送信停止位置を前記データベースのコンテンツ視聴実績情報に記録する制御手段とを具備することを特徴とする情報管理装置。
【請求項２】
前記記録手段は、
前記ユーザ識別情報とユーザ名とを対応させたユーザ情報データベースと、
前記コンテンツ識別情報とそのコンテンツ識別情報で示されるコンテンツが存在するメディアを示す情報とを対応させたコンテンツ情報データベースと、
前記ユーザ識別情報、コンテンツ識別情報及びコンテンツ視聴実績情報を対応させたコンテンツ視聴実績データベースとを記録することを特徴とする請求項１記載の情報管理装置。
【請求項３】
前記ユーザ情報データベースは、前記ユーザ識別情報に対応させて視聴権限を示す情報を記録し、
前記コンテンツ情報データベースは、前記コンテンツ識別情報に対応させて前記視聴権限に対するコンテンツの視聴可否を示す属性情報を記録していることを特徴とする請求項２記載の情報管理装置。
【請求項４】
前記コンテンツ一覧送信手段は、前記コンテンツ情報データベースの属性情報が視聴不可を示している視聴権限を有するコンテンツを、コンテンツ一覧に含めないようにすることを特徴とする請求項３記載の情報管理装置。
【請求項５】
前記コンテンツ視聴実績データベースは、前記ユーザ識別情報に対応させてコンテンツの削除可否を示す情報を記録していることを特徴とする請求項２記載の情報管理装置。
【請求項６】
前記コンテンツ一覧送信手段は、前記コンテンツ視聴実績データベースの削除可否を示す情報が削除可を示しているコンテンツを、コンテンツ一覧に含めないようにすることを特徴とする請求項５記載の情報管理装置。
【請求項７】
前記コンテンツ視聴実績データベースの削除可否を示す情報は、そのコンテンツに対する視聴前に削除不可に設定され、そのコンテンツの削除指示が発生したとき、または、そのコンテンツの視聴完了時に自動的に削除可に変更されることを特徴とする請求項５記載の情報管理装置。
【請求項８】
ユーザ識別情報、コンテンツ識別情報及びコンテンツ視聴実績情報を対応させたデータベースを記録する第１の工程と、
前記第１の工程で記録されたデータベースから、ネットワークを介して入力されたユーザ識別情報に対応するコンテンツを検索し、検索されたコンテンツの一覧を示す情報を生成して前記ネットワークに送信する第２の工程と、
前記第２の工程で送信された情報から選択されたコンテンツの再生要求が前記ネットワークを介して入力されたとき、前記データベースのコンテンツ視聴実績情報に示される位置から、そのコンテンツを前記ネットワークに送信する第３の工程と、
前記第３の工程によるコンテンツの送信状態で、前記ネットワークを介してコンテンツの送信停止が要求されたとき、前記コンテンツの送信を停止するとともに、該コンテンツの送信停止位置を前記データベースのコンテンツ視聴実績情報に記録する第４の工程とを具備することを特徴とする情報管理方法。
【請求項９】
ユーザ識別情報、コンテンツ識別情報及びコンテンツ視聴実績情報を対応させたデータベースを有し、コンテンツをネットワークに送信するサーバ機器と、このサーバ機器から前記ネットワークを介して送信されるコンテンツを再生する複数の受信端末とを有するコンテンツ配信システムであって、
前記受信端末から所定のユーザ識別情報を前記ネットワークに送信させるユーザ識別情報送信手段と、
前記サーバ機器に、前記ユーザ識別情報送信手段により前記ネットワークに送信されたユーザ識別情報に対応するコンテンツを前記データベースから検索させ、その検索されたコンテンツの一覧を示す情報を生成して前記ネットワークに送信させるコンテンツ一覧送信手段と、
前記受信端末に、前記コンテンツ一覧送信手段で送信された情報に基づいてコンテンツ一覧を表示させるとともに、該表示されたコンテンツ一覧から所望のコンテンツを選択して、その再生要求を前記ネットワークに送信させる再生要求送信手段と、
前記サーバ機器に、前記再生要求送信手段により前記ネットワークに送信された再生要求に対応するコンテンツを、前記データベースのコンテンツ視聴実績情報に示される位置から前記ネットワークに送信させるコンテンツ送信手段と、
前記コンテンツ送信手段によるコンテンツの送信状態で、前記受信端末に、前記ネットワークを介してコンテンツの送信停止を要求させる送信停止要求手段と、
前記サーバ機器に、前記送信停止要求手段による送信停止要求に基づいて前記コンテンツの送信を停止させるとともに、該コンテンツの送信停止位置を前記データベースのコンテンツ視聴実績情報に記録させる制御手段とを具備することを特徴とするコンテンツ配信システム。
【発明の詳細な説明】
【技術分野】
【０００１】
この発明は、例えば家庭内ネットワークシステムにおけるコンテンツの配信管理等に使用して好適する情報管理装置及び情報管理方法に関する。
【背景技術】
【０００２】
周知のように、近年では、例えばＤＶＤ（digital versatile disk）等の光ディスクに対して情報の記録再生を行なう光ディスク記録再生装置をホームサーバとし、各ユーザからの要求に応じて光ディスク記録再生装置が必要なコンテンツを配信する、いわゆる家庭内ネットワークシステムの構築が実現化されてきている。
【０００３】
この場合、光ディスク記録再生装置としては、光ディスクを再生してコンテンツを得る機能を有するだけでなく、テレビジョン放送を受信してコンテンツを得る機能や、外部のネットワークを経由してコンテンツをダウンロードする機能等、種々のメディアからコンテンツを得てユーザに配信する機能を持つことが要求される。
【０００４】
このため、上記のような家庭内ネットワークシステムを構築するにあたっては、ホームサーバとなる光ディスク記録再生装置が、各種のメディアから得られるコンテンツを各ユーザ毎にそれぞれ個別に管理して、ユーザ一人一人の詳細な要求に迅速かつ正確に対応できるようにすることが重要となる。
【０００５】
特許文献１は、汎用的なネットワークを用いたコンテンツ配信システムにおいて、視聴履歴管理を行なうコンテンツ視聴履歴サービスプログラムを紹介しており、ユーザの前回視聴時の視聴終了時間を視聴履歴として記憶しておくことで、再度視聴する場合に、前回視聴終了した位置から視聴を再開することができるようにした構成が開示されている。
【特許文献１】特開２００４−９６４７８号公報
【発明の開示】
【発明が解決しようとする課題】
【０００６】
そこで、この発明は上記事情を考慮してなされたもので、各ユーザ毎にそれぞれ個別にコンテンツの管理を行ない、各ユーザからの種々の要求に実用的なレベルで対応することができるようにした情報管理装置及び情報管理方法を提供することを目的とする。
【課題を解決するための手段】
【０００７】
この発明に係る情報管理装置は、ユーザ識別情報、コンテンツ識別情報及びコンテンツ視聴実績情報を対応させたデータベースを記録する記録手段と、記録手段で記録されたデータベースから、ネットワークを介して入力されたユーザ識別情報に対応するコンテンツを検索し、検索されたコンテンツの一覧を示す情報を生成してネットワークに送信するコンテンツ一覧送信手段と、コンテンツ一覧送信手段で送信された情報から選択されたコンテンツの再生要求がネットワークを介して入力されたとき、データベースのコンテンツ視聴実績情報に示される位置から、そのコンテンツをネットワークに送信するコンテンツ送信手段と、コンテンツ送信手段によるコンテンツの送信状態で、ネットワークを介してコンテンツの送信停止が要求されたとき、コンテンツの送信を停止するとともに、該コンテンツの送信停止位置をデータベースのコンテンツ視聴実績情報に記録する制御手段とを備えるようにしたものである。
【０００８】
また、この発明に係る情報管理方法は、ユーザ識別情報、コンテンツ識別情報及びコンテンツ視聴実績情報を対応させたデータベースを記録する第１の工程と、第１の工程で記録されたデータベースから、ネットワークを介して入力されたユーザ識別情報に対応するコンテンツを検索し、検索されたコンテンツの一覧を示す情報を生成してネットワークに送信する第２の工程と、第２の工程で送信された情報から選択されたコンテンツの再生要求がネットワークを介して入力されたとき、データベースのコンテンツ視聴実績情報に示される位置から、そのコンテンツをネットワークに送信する第３の工程と、第３の工程によるコンテンツの送信状態で、ネットワークを介してコンテンツの送信停止が要求されたとき、コンテンツの送信を停止するとともに、該コンテンツの送信停止位置をデータベースのコンテンツ視聴実績情報に記録する第４の工程とを備えるようにしたものである。
【発明の効果】
【０００９】
上記した構成及び方法によれば、データベースにより、各種のメディアから得られるコンテンツを各ユーザ毎にそれぞれ個別に管理するようにしたので、同じコンテンツに対しても各ユーザ毎に前回視聴を停止した位置から視聴を再開することができる等、各ユーザからの種々の要求に実用的なレベルで対応することができるようになる。
【発明を実施するための最良の形態】
【００１０】
以下、この発明の実施の形態について図面を参照して詳細に説明する。図１は、この実施の形態で説明する家庭内ネットワークシステムの概略を示している。図１において、符号１１はホームサーバとなる光ディスク記録再生装置である。
【００１１】
この光ディスク記録再生装置１１は、情報記録媒体である光ディスク１２が装着されると、その光ディスク１２に対して映像や音声等のコンテンツの記録再生を行なうことができる。
【００１２】
この場合、光ディスク記録再生装置１１は、テレビジョン放送を受信してコンテンツを得る機能や、外部のネットワークを経由してコンテンツを得る機能等を備えている。そして、この光ディスク記録再生装置１１は、テレビジョン放送及び外部ネットワーク等から得られたコンテンツを、光ディスク１２に記録することができる。
【００１３】
また、この光ディスク記録再生装置１１は、光ディスク１２、テレビジョン放送及び外部ネットワーク等から得られたコンテンツを、家庭内ネットワーク１３を介して複数（図示の場合は３つ）の受信端末１４，１５，１６に配信することができる。
【００１４】
これらの受信端末１４，１５，１６としては、例えばＰＣ（personal computer）やテレビジョン放送受信機等のように、入力されたコンテンツに基づいた映像表示や音声再生等が行なえるものが想定される。
【００１５】
図２は、上記光ディスク記録再生装置１１の信号処理系を示している。まず、この光ディスク記録再生装置１１は、テレビジョン放送を受信する機能を有している。すなわち、アンテナ１７で受信されたテレビジョン放送信号は、入力端子１８を介してチューナ部１９に供給される。
【００１６】
このチューナ部１９は、入力されたテレビジョン放送信号から所望のチャンネルの放送信号を選局している。そして、このチューナ部１９で選局された放送信号は、信号処理部２０に供給されて、例えば、復調処理、デコード処理、復号化処理等の必要な処理が施されることにより、映像や音声等の信号（コンテンツ）に復元され、セレクタ２１に供給される。
【００１７】
また、この光ディスク記録再生装置１１は、例えばＤＶＤ等の上記光ディスク１２が装着されるディスクドライブ部２２を備えている。そして、光ディスク１２に対して再生が要求されると、ディスクドライブ部２２は、光ディスク１２から記録データを読み取り、記録再生処理部２３に出力する。この記録再生処理部２３は、光ディスク１２に対する再生時に、入力されたデータにデコード処理を施して映像や音声等の信号（コンテンツ）を復元し、上記セレクタ２１に供給している。
【００１８】
このセレクタ２１は、入力された２種類のコンテンツから１つを選択して、ＯＳＤ（on screen display）付加部２４に供給する。このＯＳＤ付加部２４は、入力されたコンテンツの映像成分に対して所定のＯＳＤ用信号を付加するものである。そして、このＯＳＤ付加部２４でＯＳＤ用信号の付加されたコンテンツは、出力回路２５及び出力端子２６を介して光ディスク記録再生装置１１の外部に導出される。
【００１９】
また、上記信号処理部２０から出力されるテレビジョン放送のコンテンツは、上記記録再生処理部２３にも供給されている。そして、この記録再生処理部２３に供給されたコンテンツは、光ディスク１２に対してテレビジョン放送から得られたコンテンツの記録が要求されたとき、エンコード処理が施された後、ディスクドライブ部２２に出力されて光ディスク１２への記録に供される。
【００２０】
ここで、光ディスク記録再生装置１１は、上記した記録再生動作を含むその全ての動作を制御部２７により統括的に制御されている。この制御部２７は、ＣＰＵ（central processing unit）等を内蔵しており、操作部２８からの操作情報、または、リモートコントローラ２９の送信信号を受信する受信部３０からの操作情報を受信し、その操作内容が反映されるように各部をそれぞれ制御している。
【００２１】
この場合、制御部２７は、メモリ部３１を利用している。このメモリ部３１は、図３に示すように、ＣＰＵが実行する制御プログラムを格納したＲＯＭ（read only memory）３１ａと、該ＣＰＵに作業エリアを提供するＲＡＭ（random access memory）３１ｂと、各種の設定情報及び制御情報等が格納される不揮発性メモリ３１ｃとを有している。
【００２２】
そして、上記不揮発性メモリ３１ｃには、上記受信端末１４，１５，１６を所有する各ユーザに関する情報が記録されたユーザ情報データベース３１ｃ１と、光ディスク記録再生装置１１が各種のメディアより取得したコンテンツを示す情報が記録されたコンテンツ情報データベース３１ｃ２と、各ユーザ毎にコンテンツの視聴実績を記録したコンテンツ視聴実績データベース３１ｃ３とが形成されている。
【００２３】
ここで、再び、図２に示すように、上記制御部２７は、入出力制御部３２及び入出力端３３を介して外部のネットワーク３４に接続されている。そして、この制御部２７は、ネットワーク３４を介して所望のサーバ３５にアクセスすることにより、必要なコンテンツを取得することができるようになっている。
【００２４】
また、上記制御部２７は、大記録容量を有するＨＤＤ（hard disk drive）３６に接続されており、光ディスク１２、テレビジョン放送及びサーバ３５等の各種のメディアから取得したコンテンツを、ＨＤＤ３６に記録再生することができるようになっている。
【００２５】
さらに、上記制御部２７は、入出力制御部３７及び入出力端３８を介して上記家庭内ネットワーク１３に接続されており、光ディスク１２、テレビジョン放送、サーバ３５及びＨＤＤ３６等の各種のメディアから取得したコンテンツを、各受信端末１４，１５，１６に配信することができるようになっている。
【００２６】
そして、上記制御部２７は、図４に示すように、ユーザ情報データベース３１ｃ１を管理するためのユーザ情報管理部２７ａと、コンテンツ情報データベース３１ｃ２を管理するためのコンテンツ情報管理部２７ｂと、ユーザ情報データベース３１ｃ１とコンテンツ情報データベース３１ｃ２とコンテンツ視聴実績データベース３１ｃ３とを利用してコンテンツ一覧を生成するためのコンテンツ一覧生成部２７ｃと、上記した各種のメディアから取得したコンテンツのうちユーザが要求したコンテンツを各受信端末１４，１５，１６に送信するためのコンテンツ送信部２７ｄと、各受信端末１４，１５，１６からの再生停止及び削除指示に基づいてコンテンツの視聴実績をコンテンツ視聴実績データベース３１ｃ３に記録するためのコンテンツ視聴実績管理部２７ｅとを備えている。
【００２７】
ここで、上記ユーザ情報データベース３１ｃ１には、図５に示すように、ユーザを識別するための情報であるユーザＩＤと、ユーザ名と、画像の種類と、視聴権限とが対応させて記録されている。
【００２８】
また、上記コンテンツ情報データベース３１ｃ２には、図６に示すように、コンテンツを識別するための情報であるコンテンツＩＤと、そのコンテンツが存在する（配信元となる）メディアと、そのコンテンツに付された属性とが対応させて記録されている。
【００２９】
さらに、上記コンテンツ視聴実績データベース３１ｃ３には、図７に示すように、コンテンツＩＤと、ユーザＩＤと、そのコンテンツが視聴された経過時間を示す視聴実績と、そのコンテンツに対する削除可否とが対応させて記録されている。
【００３０】
このうち、視聴実績は、再生停止時におけるコンテンツ先頭からの相対時刻であり、例えばＤＶＤフォーマットで記録されたコンテンツの場合には、ＰＴＳ（presentation time stamp）等の情報を利用することができる。
【００３１】
また、削除可否は、所定のコンテンツに対して、その視聴前を自動的に「削除不可」状態に設定し、ユーザからコンテンツの削除指示が発生したとき、または、そのコンテンツの視聴完了時に自動的に「削除可」状態に変更する。
【００３２】
図８は、上記受信端末１４，１５，１６として使用されるテレビジョン放送受信機３９の信号処理系を示している。すなわち、アンテナ４０で受信されたテレビジョン放送信号は、入力端子４１を介してチューナ部４２に供給される。
【００３３】
このチューナ部４２は、入力されたテレビジョン放送信号から所望のチャンネルの放送信号を選局している。そして、このチューナ部４２で選局された放送信号は、復調処理部４３及び信号処理部４４に供給されることにより、映像や音声等の信号（コンテンツ）に復元される。
【００３４】
この信号処理部４４から出力されたコンテンツは、その映像成分にＯＳＤ付加部４５によりＯＳＤ用信号が付加された後、映像音声再生部４６に要求されて映像表示及び音声再生に供される。
【００３５】
ここで、テレビジョン放送受信機３９は、上記した受信動作を含むその全ての動作を制御部４７により統括的に制御されている。この制御部４７は、ＣＰＵ等を内蔵しており、操作部４８からの操作情報、または、リモートコントローラ４９の送信信号を受信する受信部５０からの操作情報を受信し、その操作内容が反映されるように各部をそれぞれ制御している。
【００３６】
この場合、制御部４７は、メモリ部５１を利用している。このメモリ部５１は、ＣＰＵが実行する制御プログラムを格納したＲＯＭと、該ＣＰＵに作業エリアを提供するＲＡＭと、各種の設定情報及び制御情報等が格納される不揮発性メモリとを有している。
【００３７】
そして、上記制御部４７は、入出力制御部５２及び入出力端５３を介して上記家庭内ネットワーク１３に接続されており、光ディスク記録再生装置１１が配信したコンテンツを受信して、映像音声再生部４６により映像表示及び音声再生することができるようになっている。
【００３８】
ここで、上記制御部４７は、図９に示すように、自己のユーザＩＤを光ディスク記録再生装置１１に送るためのユーザＩＤ送信部４７ａと、光ディスク記録再生装置１１から送信されるコンテンツ一覧を表示するためのコンテンツ一覧表示部４７ｂと、光ディスク記録再生装置１１から送信されるコンテンツを受信するコンテンツ受信部４７ｃと、受信したコンテンツを映像音声再生部４６により映像表示及び音声再生させるコンテンツ表示再生部４７ｄとを備えている。
【００３９】
図１０は、受信端末１４であるテレビジョン放送受信機３９の要求に基づいて、ホームサーバである光ディスク記録再生装置１１がコンテンツを配信する処理動作をまとめたフローチャートを示している。
【００４０】
すなわち、処理が開始（ステップＳ１）されると、テレビジョン放送受信機３９の制御部４７は、ステップＳ２で、ユーザの操作に基づいて、ユーザＩＤを光ディスク記録再生装置１１に送信する。
【００４１】
このステップＳ２の動作は、例えばユーザがテレビジョン放送受信機３９の電源をオンしたときに、制御部４７が、予め登録されたユーザ情報に基づいて、ユーザＩＤ選択画面を映像音声再生部４６に自動表示し、このユーザＩＤ選択画面上でユーザが自己のユーザＩＤを選択し決定することにより行なわれる。
【００４２】
すなわち、このユーザＩＤ選択画面は、図１１に示すように、予め登録された「ぱぱ」、「まま」、「はなこ」及び「たろう」の４名を示す項目が表示されており、リモートコントローラ４９のカーソルキーを操作してカーソルＫを移動させることにより所望のユーザを選択し、決定キーを操作することによって、その決定されたユーザのユーザＩＤが光ディスク記録再生装置１１に送信されるようになる。
【００４３】
すると、光ディスク記録再生装置１１の制御部２７は、ステップＳ３で、ユーザＩＤを受信し、ステップＳ４で、受信したユーザＩＤに基づいて、上記ユーザ情報データベース３１ｃ１、コンテンツ情報データベース３１ｃ２及びコンテンツ視聴実績データベース３１ｃ３を参照し、そのユーザＩＤで視聴が許可されているコンテンツを自動検索して、コンテンツ一覧情報を生成する。
【００４４】
例えば、ユーザＩＤが「UID0003」の場合は、権限が「Child」であるため、属性が「Child禁止」である「CONT00000003」及び「CONT00000004」のコンテンツＩＤを有するコンテンツは、コンテンツ一覧に含まれないように制御される。
【００４５】
また、「CONT00000001」のコンテンツＩＤを有するコンテンツは、ユーザＩＤが「UID0003」，「UID0004」のユーザに対して「削除可」になっている。このため、「CONT00000001」のコンテンツＩＤを有するコンテンツは、ユーザＩＤが「UID0003」，「UID0004」のユーザに対するコンテンツ一覧に含まれないように制御される。
【００４６】
そして、光ディスク記録再生装置１１の制御部２７は、ステップＳ５で、生成したコンテンツ一覧情報をテレビジョン放送受信機３９に送信する。
【００４７】
すると、テレビジョン放送受信機３９の制御部４７は、ステップＳ６で、コンテンツ一覧情報を受信し、ステップＳ７で、コンテンツ一覧を生成して映像音声再生部４６に表示する。このコンテンツ一覧は、図１２に示すように、コンテンツのタイトル、時間及び属性を一覧表示したもので、表示仕切れないコンテンツは、リモートコントローラ４９のカーソルキーを操作して上下方向にスクロールさせることにより表示することができる。
【００４８】
また、このコンテンツ一覧画面上で、リモートコントローラ４９のカーソルキーを操作してカーソルＫを移動させることにより所望のコンテンツを選択し、決定キーを操作することによって、コンテンツを選択決定することができる。
【００４９】
そして、テレビジョン放送受信機３９の制御部４７は、ステップＳ８で、コンテンツ一覧画面上で所定のコンテンツが選択決定されたことを検知すると、ステップＳ９で、その選択決定されたコンテンツのコンテンツＩＤを光ディスク記録再生装置１１に送信する。
【００５０】
すると、光ディスク記録再生装置１１の制御部２７は、ステップＳ１０で、コンテンツＩＤを受信し、待機状態となる。
【００５１】
その後、ユーザがテレビジョン放送受信機３９のリモートコントローラ４９を操作してコンテンツの再生開始を要求すると、テレビジョン放送受信機３９の制御部４７は、ステップＳ１１で、光ディスク記録再生装置１１に対して再生開始指示を送信する。
【００５２】
そして、光ディスク記録再生装置１１の制御部２７は、再生開始指示を受けると、ステップＳ１２で、コンテンツ視聴実績データベース３１ｃ３を参照し、再生を要求したユーザ（ステップＳ３で受信したユーザＩＤ）の、再生の要求されたコンテンツ（ステップＳ１０で受信したコンテンツＩＤ）に対する再生開始位置を検出する。
【００５３】
その後、光ディスク記録再生装置１１の制御部２７は、ステップＳ１３で、再生の要求されたコンテンツの存在するメディアから当該コンテンツを、先に検出した再生開始位置から読み出し、デコード処理が施されていないものについてはデコード処理を施して、テレビジョン放送受信機３９に送信する。
【００５４】
すると、テレビジョン放送受信機３９の制御部４７は、ステップＳ１４で、コンテンツを受信し、ステップＳ１５で、映像音声再生部４６によりそのコンテンツの映像表示及び音声再生を実行する。
【００５５】
その後、テレビジョン放送受信機３９の制御部４７は、ステップＳ１６で、ユーザがリモートコントローラ４９を操作してコンテンツの再生停止を要求したか否かを判別し、再生停止が要求されていないと判断された場合（ＮＯ）、ステップＳ１４の処理に戻され、コンテンツの再生が継続される。
【００５６】
また、上記ステップＳ１６でコンテンツの再生停止が要求されたと判断された場合（ＹＥＳ）、テレビジョン放送受信機３９の制御部４７は、光ディスク記録再生装置１１に対して再生停止指示を送信する。
【００５７】
そして、光ディスク記録再生装置１１の制御部２７は、再生停止指示を受けると、ステップＳ１７で、コンテンツの送信を停止し、ステップＳ１８で、そのコンテンツの送信停止位置（再生停止位置）を示す情報をコンテンツ視聴実績データベース３１ｃ３に書き込み、処理を終了（ステップＳ１９）する。
【００５８】
上記した実施の形態によれば、家庭内ネットワークシステムにおいて、ホームサーバとなる光ディスク記録再生送致１１が各種のメディアから得られるコンテンツを各ユーザ毎にそれぞれ個別に管理するようにしたので、同じコンテンツに対しても各ユーザ毎に前回視聴を停止した位置から視聴を再開することができる等、各ユーザからの種々の要求に実用的なレベルで対応することができるようになる。
【００５９】
また、図１１に示したように、ユーザＩＤ選択画面に各ユーザの顔画像を表示させることにより、家庭内ネットワークシステムとしてよりユーザの使い勝手を向上させることができる。
【００６０】
さらに、図５に示したユーザ情報データベース３１ｃ１に各ユーザ毎の視聴権限を示す情報を付加し、図６に示したコンテンツ情報データベース３１ｃ２に各ユーザ毎の属性を示す情報を付加するようにしているので、各ユーザ毎に各コンテンツに対するアクセス権の制御が可能となる。図５及び図６の例では、子供のみ視聴不可とするパレンタル制御を容易に実現している。同様に、家族の中で自分だけが視聴可能なコンテンツを保有することも可能となる。
【００６１】
また、例えばＨＤＤ３６に記録されたコンテンツの場合、そのコンテンツに対してアクセス権を持つユーザ全員が視聴を完了したとき、または、そのコンテンツに対してアクセス権を持つユーザ全員から削除指示が出されたとき、そのコンテンツの実態を自動的に削除する機能を付加することも考えられる。
【００６２】
さらに、図６に示したコンテンツ情報データベース３１ｃ２の属性に「削除不可（永久保存）」を設定可能とする機能、または、図７に示したコンテンツ視聴実績データベース３１ｃ３に削除不可を設定する際に、視聴完了時点で「削除可」に変更するか否かをユーザに問い合わせる機能を付加することにより、コンテンツ実体の自動削除を防止し、特定のコンテンツの永久保存を可能にすることもできる。
【００６３】
また、ユーザの切り替えは、図１１に示したユーザＩＤ選択画面上での操作に限らず、個人の携帯電話や固有リモートコントローラの利用により自動判別可能としても良い。または、リモートコントローラにユーザ選択用のキーを付加しても良い。
【００６４】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００６５】
【図１】この発明の実施の形態を示すもので、家庭内ネットワークシステムの概略を説明するために示すブロック構成図。
【図２】同実施の形態における光ディスク記録再生装置の信号処理系を説明するために示すブロック構成図。
【図３】同実施の形態における光ディスク記録再生装置のメモリ部に形成された各データベースを説明するために示す図。
【図４】同実施の形態における光ディスク記録再生装置の制御部が備える各機能を説明するために示す図。
【図５】同実施の形態における光ディスク記録再生装置のメモリ部に形成されたユーザ情報データベースを説明するために示す図。
【図６】同実施の形態における光ディスク記録再生装置のメモリ部に形成されたコンテンツ情報データベースを説明するために示す図。
【図７】同実施の形態における光ディスク記録再生装置のメモリ部に形成されたコンテンツ視聴実績データベースを説明するために示す図。
【図８】同実施の形態におけるテレビジョン放送受信機の信号処理系を説明するために示すブロック構成図。
【図９】同実施の形態におけるテレビジョン放送受信機の制御部が備える各機能を説明するために示す図。
【図１０】同実施の形態における家庭内ネットワークシステムの主要な処理動作を説明するために示すフローチャート。
【図１１】同実施の形態における家庭内ネットワークシステムの動作中に表示されるユーザＩＤ選択画面の一例を説明するために示す図。
【図１２】同実施の形態における家庭内ネットワークシステムの動作中に表示されるコンテンツ一覧表示画面の一例を説明するために示す図。
【符号の説明】
【００６６】
１１…光ディスク記録再生装置、１２…光ディスク、１３…家庭内ネットワーク、１４〜１６…受信端末、１７…アンテナ、１８…入力端子、１９…チューナ部、２０…信号処理部、２１…セレクタ、２２…ディスクドライブ部、２３…記録再生処理部、２４…ＯＳＤ付加部、２５…出力回路、２６…出力端子、２７…制御部、２８…操作部、２９…リモートコントローラ、３０…受信部、３１…メモリ部、３２…入出力制御部、３３…入出力端、３４…ネットワーク、３５…サーバ、３６…ＨＤＤ、３７…入出力制御部、３８…入出力端、３９…テレビジョン放送受信機、４０…アンテナ、４１…入力端子、４２…チューナ部、４３…復調処理部、４４…信号処理部、４５…ＯＳＤ付加部、４６…映像音声再生部、４７…制御部、４８…操作部、４９…リモートコントローラ、５０…受信部、５１…メモリ部、５２…入出力制御部、５３…入出力端。
【図１】
2006301877.tif 000003
【図２】
2006301877.tif 000004
【図３】
2006301877.tif 000005
【図４】
2006301877.tif 000006
【図５】
2006301877.tif 000007
【図６】
2006301877.tif 000008
【図７】
2006301877.tif 000009
【図８】
2006301877.tif 000010
【図９】
2006301877.tif 000011
【図１０】
2006301877.tif 000012
【図１１】
2006301877.tif 000013
【図１２】
2006301877.tif 000014